(57)【特許請求の範囲】
【請求項１】
ＰＤＣ用送信機およびＰＤＣ用受信機と、ＰＨＳ用送受信機を備えた無線機におけるＰＤＣ／ＰＨＳアンテナ共用装置であって、
第１のアンテナおよびこの第１のアンテナに対応する第１の外部接続端子と、第２のアンテナおよびこの第２のアンテナに対応する第２の外部接続端子と、
前記ＰＤＣ用送信機と前記第１のアンテナとの間に接続された第１のスイッチ、前記ＰＤＣ用送信機と前記第１の外部接続端子との間に接続された第２のスイッチ、前記ＰＤＣ用受信機と前記第１のアンテナとの間に接続された第３のスイッチ、前記ＰＤＣ用受信機と前記第１の外部接続端子との間に接続された第４のスイッチ、前記ＰＤＣ用受信機と前記第２のアンテナとの間に接続された第５のスイッチ、前記ＰＤＣ用受信機と前記第２の外部接続端子との間に接続された第６のスイッチ、前記ＰＨＳ用送受信機と前記第１のアンテナとの間に接続された第７のスイッチからなるスイッチマトリクスと
を備えていることを特徴とするアンテナ共用装置。
【請求項２】
スイッチマトリクスを１チップＩＣ化したことを特徴とする請求項１記載のアンテナ共用装置。
【発明の詳細な説明】
【０００１】
【発明の属する技術分野】
本発明は、自動車／携帯電話と、パーソナル・ハンディホン・システム（以下、ＰＨＳという）との複合端末機、および基地局等に使用するアンテナ共用装置に関する。
【０００２】
【従来の技術】
近年、携帯電話、ＰＨＳの普及は目覚ましく、それぞれ違った特徴を基に、市場に受け入れられている。また、利用者がそれぞれの特徴を生かして使い分けができる携帯電話（以下、ＰＤＣという）とＰＨＳの複合端末の開発が進みつつある。
【０００３】
ＰＤＣとＰＨＳの複合端末を設計する際、問題となるのがアンテナ部である。システム上、ＰＤＣは８００ＭＨｚ帯および１５００ＭＨｚ帯であり、ＰＨＳは１９００ＭＨｚ帯を使用しており、アンテナエレメントを１本で共用できるように広帯域化の研究も進みつつある。
【０００４】
また、ＰＤＣの場合、アンテナダイバーシチを採用しており、かつ外部アンテナを使用できる外部接続端子付きが一般的である。一方、ＰＨＳの場合、アンテナダイバーシチは行わず、またシステム上、外部接続端子は付けてはならない仕様となっている。このため、アンテナを１本で共用するためには、これらを考慮したアンテナ共用部の設計が必要である。
【０００５】
図３は、従来のアンテナ共用装置の構成を示したものである。ＰＤＣとＰＨＳを共用する無線機は、ＰＤＣ用送信機１、ＰＤＣ用受信機２、ＰＨＳ用送受信機３を備え、ＰＤＣおよびＰＨＳで送受信するアンテナ４、このアンテナ４に対応する外部接続端子５、ＰＤＣで受信するアンテナ６、このアンテナ６に対応する外部接続端子７を持っている。
【０００６】
また、２１はＰＤＣモードの送信スイッチ、２２はアンテナ４と外部接続端子５とを切り替えるスイッチ、２３はＰＤＣモードの受信スイッチ、２４はアンテナ６と外部接続端子７とを切り替えるスイッチ、２５はＰＤＣモードとＰＨＳモードとを切り替えるスイッチである。
【０００７】
次に、前記従来のアンテナ共用装置の動作について説明する。まず、ＰＨＳモードで送受信する場合は、スイッチ２５をｂ側に切り替える。
【０００８】
次に、ＰＤＣモードで送信する場合で、アンテナ４側につなぐときは、スイッチ２１をオン、スイッチ２２をａ側、スイッチ２３をｂ側、スイッチ２５をａ側へそれぞれ切り替える。アンテナ４の代りに外部接続端子５側につなぐときは、スイッチ２２をｂ側に切り替える。
【０００９】
また、ＰＤＣモードで受信する場合で、アンテナ４側につなぐときは、スイッチ２１をオフ、スイッチ２２をａ側、スイッチ２３をａ側、スイッチ２５をａ側へそれぞれ切り替える。アンテナ４の代りに外部接続端子５側につなぐときは、スイッチ２２をｂ側に切り替える。
【００１０】
ＰＤＣモードで受信する場合で、アンテナ６側につなぐときは、スイッチ２３をｂ側、スイッチ２４をａ側へそれぞれ切り替える。アンテナ６の代りに外部接続端子７側につなぐときは、スイッチ２４をｂ側に切り替える。
【００１１】
【発明が解決しようとする課題】
しかしながら、上記説明で分かるように、従来のアンテナ共用装置では、ＰＤＣモードで、アンテナ４から送信する場合は、スイッチ２１，２２，２５を経由することになり、送信信号の通過ロスが大きい。そこで、送信出力を大きくしなければならず、結果として消費電力が増えるという問題がある。また、ＰＤＣモードで、アンテナ４側で受信する場合は、スイッチ２５，２２，２３を経由することになり、受信信号の通過ロスが大きく、受信感度が低下するという問題があった。
【００１２】
本発明は、上記従来技術の問題点を解決するもので、送受信信号の通過ロスが小さく、従って、消費電力が少なく、受信感度の良好なＰＤＣ／ＰＨＳのアンテナ共用装置を提供することを目的とする。
【００１３】
【課題を解決するための手段】
上記目的を達成するために、本発明のアンテナ共用装置は、第１のアンテナおよびこの第１のアンテナに対応する第１の外部接続端子と、第２のアンテナおよびこの第２のアンテナに対応する第２の外部接続端子と、ＰＤＣ用送信機と第１のアンテナとの間に接続された第１のスイッチ、ＰＤＣ用送信機と第１の外部接続端子との間に接続された第２のスイッチ、ＰＤＣ用受信機と第１のアンテナとの間に接続された第３のスイッチ、ＰＤＣ用受信機と第１の外部接続端子との間に接続された第４のスイッチ、ＰＤＣ用受信機と第２のアンテナとの間に接続された第５のスイッチ、ＰＤＣ用受信機と第２の外部接続端子との間に接続された第６のスイッチ、ＰＨＳ用送受信機と第１のアンテナとの間に接続された第７のスイッチからなるスイッチマトリクスとを備えた構成とする。
【００１４】
この構成によれば、ＰＤＣモードで第１のアンテナを経て送信するときは第１のスイッチを、第１の外部接続端子を経て送信するときは第２のスイッチを、ＰＤＣモードで第１のアンテナを経て受信するときは第３のスイッチを、第１の外部接続端子を経て受信するときは第４のスイッチを、ＰＤＣモードで第２のアンテナを経て受信するときは第５のスイッチを、第２の外部接続端子を経て受信するときは第６のスイッチを、ＰＨＳモードで送受信するときは、第７のスイッチをそれぞれ介して送受信することになり、いずれの場合もスイッチ１個を介するだけであるから、送受信信号の通過ロスが小さくなる。
【００１５】
また、スイッチマトリクスを１チップＩＣ化することにより、線路インピーダンスが低減され、信号の通過ロスを一層小さくすることができる。
【００１６】
【発明の実施の形態】
以下、本発明の実施の形態について詳細に説明する。
（実施の形態１）
図１は、本発明の実施の形態１におけるアンテナ共用装置の構成を示したものである。ＰＤＣとＰＨＳを共用する無線機は、ＰＤＣ用送信機１、ＰＤＣ用受信機２、ＰＨＳ用送受信機３を備え、ＰＤＣおよびＰＨＳで送受信するアンテナ４、このアンテナ４に対応する外部接続端子５、ＰＤＣで受信するアンテナ６、このアンテナ６に対応する外部接続端子７を持っている。
【００１７】
１１はＰＤＣ用送信機１とアンテナ４との間に接続されたＰＤＣモードの送信用スイッチ、１２はＰＤＣ用送信機１と外部接続端子５との間に接続されたＰＤＣモードの送信用スイッチ、１３はＰＤＣ用受信機２とアンテナ４との間に接続されたＰＤＣモードの受信用スイッチ、１４はＰＤＣ用受信機２と外部接続端子５との間に接続されたＰＤＣモードの受信用スイッチ、１５はＰＤＣ用受信機２とアンテナ６との間に接続されたＰＤＣモードの受信用スイッチ、１６はＰＤＣ用受信機２と外部接続端子７との間に接続されたＰＤＣモードの受信用スイッチ、１７はＰＨＳ用送受信機３とアンテナ４との間に接続されたＰＨＳモードの送受信用スイッチである。
【００１８】
次に、本実施の形態１における動作を説明する。まず、ＰＨＳモードで送受信する場合、スイッチ１７をオンにし、スイッチ１１およびスイッチ１３をそれぞれオフにする。
【００１９】
ＰＤＣモードで送信する場合で、アンテナ４につなぐときは、スイッチ１１をオンにし、スイッチ１２，スイッチ１３およびスイッチ１７をそれぞれオフにする。また、アンテナ４の代りに外部接続端子５につなぐときは、スイッチ１２をオンにし、スイッチ１１およびスイッチ１４をそれぞれオフにする。
【００２０】
ＰＤＣモードで受信する場合で、アンテナ４につなぐときは、スイッチ１３をオンにし、スイッチ１１，スイッチ１４，スイッチ１５，スイッチ１６およびスイッチ１７をそれぞれオフにする。また、アンテナ４の代りに外部接続端子５につなぐときは、スイッチ１４をオンにし、スイッチ１２，スイッチ１３，スイッチ１５およびスイッチ１６をそれぞれオフにする。
【００２１】
ＰＤＣモードで受信する場合で、アンテナ６につなぐときは、スイッチ１５をオンにし、スイッチ１３，スイッチ１４およびスイッチ１６をそれぞれオフにする。また、アンテナ６の代りに外部接続端子７につなぐときは、スイッチ１６をオンにし、スイッチ１３，スイッチ１４およびスイッチ１５をそれぞれオフにする。
【００２２】
従って、ＰＨＳモードで送受信する場合、送受信信号はスイッチ１７のみを通る。また、ＰＤＣモードでアンテナ４を介して送信する場合、送信信号はスイッチ１１のみを通り、外部接続端子５を介して送信する場合はスイッチ１２のみを通る。また、ＰＤＣモードでアンテナ４を介して受信する場合、受信信号はスイッチ１３のみを通り、外部接続端子５を介して受信する場合はスイッチ１４のみを通る。さらに、アンテナ６を介して受信する場合、受信信号はスイッチ１５のみを通り、外部接続端子７を介して受信する場合はスイッチ１６のみを通ることになる。
【００２３】
以上のように、本実施の形態１によれば、各モードでの送受信信号が通るスイッチは、いずれの場合も１個であり、信号の通過ロスが小さくなる。
【００２４】
（実施の形態２）
図２は、本発明の実施の形態２におけるアンテナ共用装置を示したもので、実施の形態１におけるスイッチ１１乃至スイッチ１７からなるスイッチマトリクスを１チップＩＣ化したものである。図２において、図１と同一機能部分には同一符号を付してあり、また８はスイッチマトリクスＩＣである。
【００２５】
以上のように構成された本実施の形態２によれば、各スイッチ間の線路長が、ＰＤＣで使用する８００ＭＨｚ帯および１．５ＧＨｚ帯、ＰＨＳで使用する１．９ＧＨｚ帯の波長に対して十分短くできるため、線路インピーダンスの影響が少なくなり、各モードでの信号の通過ロスがさらに小さくなる。
【００２６】
【発明の効果】
以上説明したように、本発明によれば、ＰＤＣ／ＰＨＳ各モードでの送受信信号が通るスイッチは、いずれの場合も１個で済み、信号の通過ロスが小さくなるので、消費電力が少なく、受信感度の良好なアンテナ共用装置を実現することができる。
【００２７】
また、スイッチマトリクスを１チップＩＣ化することにより、スイッチ間の線路インピーダンスの影響を少なくし、信号の通過ロスをさらに小さくすることができるという効果を奏する。
【図面の簡単な説明】
【図１】本発明の実施の形態１におけるアンテナ共用装置の構成図である。
【図２】本発明の実施の形態２におけるアンテナ共用装置の構成図である。
【図３】従来例のアンテナ共用装置の構成図である。
【符号の説明】
１…ＰＤＣ用送信機、  ２…ＰＤＣ用受信機、  ３…ＰＨＳ用送受信機、  ４，６…アンテナ、  ５，７…外部接続端子、  ８…スイッチマトリクスＩＣ、  １１，１２，１３，１４，１５，１６，１７…スイッチ。
【図１】
0003620756.tif 000002
【図２】
0003620756.tif 000003
【図３】
0003620756.tif 000004